(57)【要約】      （修正有）【課題】走路を立体的に構成し、走行玩具用走路に嗜好性を加える。【解決手段】複数の走路構成部材１０を連結して構成され走行玩具を走らせるための走行玩具用走路１であって、走路構成部材は、走行玩具用走路の中央に位置し互いに遊嵌する一対の中央連結部１２と、中央連結部の両脇に位置し走行玩具用走路の下方の姿勢を規制する一対の下方支持部と、走行玩具用走路の両端のサイドレール部の上部に位置し上方の姿勢を規制する一対の上方支持部と、を有することを特徴とする。【選択図】図２
0003141356.tif 000002
【実用新案登録請求の範囲】
【請求項１】
複数の走路構成部材を連結して構成され走行玩具を走らせるための走行玩具用走路であって、
前記走路構成部材は、
前記走行玩具用走路の中央に位置し互いに遊嵌する一対の中央連結部と、
前記中央連結部の両脇に位置し前記走行玩具用走路の下方の姿勢を規制する一対の下方支持部と、
前記走行玩具用走路の両端のサイドレール部の上部に位置し上方の姿勢を規制する一対の上方支持部と、
を有することを特徴とする走行玩具用走路。
【請求項２】
前記走路構成部材は、該走路構成部材の中央にある点を対称の中心として、点対称に構成されていることを特徴とする請求項１に記載の走行玩具用走路。
【考案の詳細な説明】
【技術分野】
【０００１】
本考案は、模型車両等の走行玩具が走行するた走行玩具用走路に関する。
【背景技術】
【０００２】
従来、走行玩具を走行させるために、同形の走路構成部材（軌条部材）を複数連結することで構成する走路がある（例えば、特許文献１参照）。特許文献１では、各走路構成部材を連結することで連続した走路を構成し、その走路上を走行玩具が走ることになる。
【０００３】
具体的には、走路構成部材の中央に位置する連結部を中心に互いに各走路構成部材が回動可能範囲内で回動可能に形成されるため、その中央に位置する連結部にて各走路構成部材の姿勢を少しずつ変えることができる。そして、その走路構成部材を多数連結することで、直線や曲線の走路を自在に構成することができる。
【０００４】
【特許文献１】特開２００２−１７２２７６
【考案の開示】
【考案が解決しようとする課題】
【０００５】
しかしながら、特許文献１の各走路構成部材は、直線的な走路や曲線的な走路を構成できるものの、構成される走路は平面的なものに限られる。このため、より走路構成に多様性が求められる昨今においては、走路構成のバリエーションに乏しいという問題が生じていた。
【０００６】
そこで本考案の目的は、走路を立体的に構成し、走行玩具用走路に嗜好性を加えることである。
【課題を解決するための手段】
【０００７】
前述の目的を達成するための本考案の構成は、複数の走路構成部材を連結して構成され走行玩具を走らせるための走行玩具用走路であって、前記走路構成部材は、前記走行玩具用走路の中央に位置し互いに遊嵌する一対の中央連結部と、前記中央連結部の両脇に位置し前記走行玩具用走路の下方の姿勢を規制する一対の下方支持部と、前記走行玩具用走路の両端のサイドレール部の上部に位置し上方の姿勢を規制する一対の上方支持部と、を有することを特徴とする。
【０００８】
また、前記走路構成部材は、該走路構成部材の中央にある点を対称の中心として、点対称に構成されていることを特徴としてもよい。
【考案の効果】
【０００９】
上記構成のように、走路構成部材に走路の中央に中央連結部を設け、該中央連結部が互いに遊嵌するため、走路構成部材を同一平面内のみならず、高さ方向にずれるように連結させることができる。また、下方支持部及び上方支持部を設けているため、走路構成部材の姿勢を適度に規制する。このため、ユーザーは特に脱落防止の配慮をせずとも、走行玩具が走行可能な走行玩具用走路を、簡単に構成することができる。
【００１０】
また、走路構成部材を点対称に構成すれば、走路構成部材のどちらの中央連結部を用いても連結作業を行うことができ、連結作業をより簡単に行うことができる。
【考案を実施するための最良の形態】
【００１１】
図を用いて本考案の実施形態を説明する。
【００１２】
〔走路構成部材１０〕
まず走行玩具用走路を構成する一単位である走路構成部材１０の構成を図１を用いて説明する。図１は走路構成部材の構成を示す図であり、それぞれ、（ａ）平面図、（ｂ）正面図、（ｃ）底面図、（ｄ）側面図を示す。
【００１３】
走路構成部材１０は、図１（ａ）に示す点Ｏを対称の中心として点対称に構成される。走路構成部材１０には、路面１１の中央に位置し上下左右に間隙を設けつつ互いに遊嵌するための一対の中央連結部１２と、中央連結部１２の両脇に位置し路面１１の下方の姿勢を規制する一対の下方支持部１３と、路面１１の両端のサイドレール部１４の上部に位置し上方の姿勢を規制する一対の上方支持部１５と、を有する。次に詳細に説明する。
【００１４】
路面１１は、その上部を後述する車輪のついた走行玩具が移動する場所であり、滑り止めとなり得るリブ１１Ａが走路構成部材１０が連結される方向と直交する方向に形成されている。
【００１５】
中央連結部１２は、突出した形状の中央連結突起１２ａと窪んだ形状の中央連結溝１２ｂにより構成される。中央連結突起１２ａは、その上面が路面１１の中央で路面１１と同じ高さになるように構成される。このため、走路構成部材１０を互いに連結させたとき、路面１１の中央部には段差が発生しない。
【００１６】
下方支持部１３は中央連結部１２の両端にあり、平板状に突出した下方支持片１３ａとそれを入り込ませる程度の大きさに窪んだ下方支持溝１３ｂにより構成される。上述のように、走路構成部材１０は点対称に構成されているため、走行玩具の走行方向（図１（ｂ）の方向）に見ると、下方支持片１３ａと下方支持溝１３ｂとが両方配設されるように、互い違いに構成されている。このように、走路構成部材１０が点対称に構成され、下方支持片１３ａと下方支持溝１３ｂとが互い違いに構成されていると、隣接する走路構成部材１０との連結がしやすくなる。
【００１７】
これについて詳細に説明する。例えば走路構成部材の一方に２つの下方支持片があり他方に２つの下方支持溝が形成されていたとしても、走路構成部材を互いに連結することは可能である。しかしながら、下方支持片がある側面どうしは連結することができないため、使用者は走路構成部材の方向を考慮しつつ連結作業を行わなければならない。本実施形態のように互い違いに構成されていればこのようなことを考慮する必要はなく、走路構成部材のどちらの中央連結部を用いても連結作業を行うことができ、連結作業をより簡単に行うことができる。
【００１８】
下方支持片１３ａの走行玩具の走行方向の長さは、走路構成部材１０を連結したときに下方支持片１３ａと下方支持溝１３ｂとが最も離れた場合であっても下方支持片１３ａの一部が下方支持溝１３ｂ内に入り込んでいる程度の長さに構成されている（図３参照）。
【００１９】
サイドレール部１４は、後述の走行玩具の側面に当接して、走行玩具が路面１１の外に出ないようにガイドをするものである。
【００２０】
上方支持部１５はサイドレール部１４の上部にあり、薄い板状に突出した上方支持片１５ａとそれを入り込ませる程度の大きさに窪んだ上方支持溝１５ｂにより構成される。上方支持片１５ａの走行玩具の走行方向の長さは、走路構成部材１０を連結したときに上方支持片１５ａと上方支持溝１５ｂとが最も離れた場合であっても上方支持片１５ａの一部が上方支持溝１５ｂ内に入り込んでいる程度の長さに構成されている（図３参照）。
【００２１】
〔走行玩具用走路〕
以上のような走路構成部材１０を互いに連結することで、走行玩具用走路を構成する。まず、平面的な走行玩具用走路の構成を例を挙げて説明する。図２は同じ平面内に直線的な走行玩具用走路を構成した場合の図であり、図３は同じ平面内に曲線的な走行玩具用走路を構成した場合の図である。
【００２２】
図２に示すように、走路構成部材１０の中央連結部１２を互いに連結させると、サイドレール部１４の間に路面１１が形成される。この状態で、連結している中央連結突起１２ａと中央連結溝１２ｂとの間には、図２（ｂ）に示す中央連結部１２の拡大図に示すように間隙Ｓ（遊び）がある。このため、走路構成部材１０同士は互いに連結しつつも、図３に示すように、走路構成部材１０を回動中心として互いに回動し自在な走行玩具用走路を構成することができる。
【００２３】
ここで、図３のように走行玩具用走路２が曲がった状態であっても、上方支持部１５の上方支持片１５ａは上方支持溝１５ｂから抜け出ないような長さで構成されている。このように構成すると、最大に曲げた走行玩具用走路２を構成した場合であっても、サイドレール部１４の上部の上方支持部１５が連続的になるため、走行玩具はその外周側の側面をサイドレール部１４に確実にガイドされて走ることになる。このため、走行玩具は路面１１から外れることがなく、サイドレール部１４にガイドされつつ円滑に走行する。
【００２４】
次に、立体的な走行玩具用走路の構成を例を挙げて説明する。図４は高さ方向に走行玩具用走路を構成したときの側面図である。
【００２５】
走路構成部材１０を互いに連結する際、中央連結部１２の中央連結突起１２ａと中央連結溝１２ｂとの間には、平面内の左右方向の遊びだけではなく、上下方向の遊びもある。このため走路構成部材１０は、図４に示すように上下方向に曲げて連結することもできる。
【００２６】
このとき、側方から見た場合の曲線的な走行玩具用走路３の内側にあたる下方支持部１３又は上方支持部１５は、互いに路面１１の姿勢を規制するためにはたらく。即ち、図４の左方のように、走行玩具用走路３の下方に突出している部分では上方支持部１５が路面１１の姿勢を規制する一方、図４の右方のように、走行玩具用走路３の上方に突出している部分では下方支持部１３が路面１１の姿勢を規制する。
【００２７】
このように、下方支持部１３及び上方支持部１５が路面１１の姿勢を規制するため、中央連結部１２に上下左右の遊びがあっても、隣接する走路構成部材１０どうしが互いに過剰に姿勢を変えることなく、走行玩具用走路３の姿勢を走行玩具が走行可能な範囲の角度に収めることができる。このため、ユーザーは特に脱落防止の配慮をせずとも、走行玩具が走行可能な走行玩具用走路３を、簡単且つ様々なバリエーションで構成することができる。
【００２８】
〔走行玩具用走路のバリエーション〕
上述のように、走路構成部材１０は下方支持部１３及び上方支持部１５に規制される範囲で自由に連結することができる。次に構成された走行玩具用走路のバリエーションを説明する。
【００２９】
図５は障害物を超える走行玩具用走路の構成を示す斜視図である。上述のように、本実施形態の走行玩具用走路は上方に向かって立体的に突出するように構成することができる。このため例えば、図５に示すような障害物Ａを乗り越えるように走行玩具用走路４を構成することができる。このように構成することで、平面的な走路構成だけではなく立体的な走路構成をも自在に得ることができ、よりバリエーション豊かな走行玩具用走路を構成することができる。
【００３０】
図６は傾斜のついた走行玩具用走路の構成を示す斜視図である。本実施形態の各走路構成部材１０は、走行方向と直交する方向に傾斜した状態でつなげることができる。このため、図６に示すように、走行玩具Ｃを走行玩具用走路５上で走行させた場合、走行玩具Ｃはその姿勢を傾けた状態で走行玩具用走路５上を走行することができる。ここで、走路構成部材１０にはサイドレール部１４があるため、走行玩具Ｃは傾きつつもその下部をサイドレールで支えることになる。このため、走行玩具Ｃが走行玩具用走路５の外に出てしまうことはない。この結果、走行玩具Ｃを様々な姿勢で走らせることができ、玩具として嗜好性のあるものにすることができる。
【００３１】
図７は走路構成部材を無端状につなげて路面が内側になった状態を示す斜視図である。前述の構成では、走行玩具用走路は、路面１１を上方に向けて構成したが、走行玩具用走路は必ずしも路面１１の表面を上に向けた状態で構成される必要はない。例えば、図７に示すように、走路が内側となるように走路構成部材１０をつなげて、走路をあたかもキャタピラのような外観となるように構成することができる。このように構成することで、走行玩具Ｃを走行玩具用走路６の路面１１上で走行させると、走行玩具Ｃの走行方向に向かって、走行玩具用走路６も同時に移動することになる。
【００３２】
従来の走行玩具用走路は単なる走行玩具の下方で走行玩具を走行方向にガイドするのみであったが、本実施形態の走路構成部材１０で構成した走行玩具用走路は上述のような様々な遊び方を提供することができる。このため、従来の走行玩具用走路の形状にバリエーションを加えるだけではなく、全く異なった遊び方をすることができるように構成することで、走行玩具用走路に更に嗜好性を加えることができる。
【産業上の利用可能性】
【００３３】
本考案は、模型車両等の走行玩具が走行するた走行玩具用走路に利用することができる。
【図面の簡単な説明】
【００３４】
【図１】走路構成部材の構成を示す図。
【図２】同じ平面内に直線的な走行玩具用走路を構成した場合の図。
【図３】同じ平面内に曲線的な走行玩具用走路を構成した場合の図。
【図４】高さ方向に走行玩具用走路を構成したときの側面図。
【図５】障害物を超える走行玩具用走路の構成を示す斜視図。
【図６】傾斜のついた走行玩具用走路の構成を示す斜視図。
【図７】走路構成部材を無端状につなげて路面が内側になった状態を示す斜視図。
【符号の説明】
【００３５】
Ａ…障害物、Ｃ…走行玩具、Ｏ…点、Ｓ…間隙、１…走行玩具用走路、２…走行玩具用走路、３…走行玩具用走路、４…走行玩具用走路、５…走行玩具用走路、６…走行玩具用走路、１０…走路構成部材、１１…路面、１１Ａ…リブ、１２…中央連結部、１２ａ…中央連結突起、１２ｂ…中央連結溝、１３…下方支持部、１３ａ…下方支持片、１３ｂ…下方支持溝、１４…サイドレール部、１５…上方支持部、１５ａ…上方支持片、１５ｂ…上方支持溝
【図１】
0003141356.tif 000003
【図２】
0003141356.tif 000004
【図３】
0003141356.tif 000005
【図４】
0003141356.tif 000006
【図５】
0003141356.tif 000007
【図６】
0003141356.tif 000008
【図７】
0003141356.tif 000009